(57)【特許請求の範囲】
【請求項１】
移動体無線通信システムのユーザ装備装置（ＵＥ）であって、該移動体無線通信システムのリソースが該ユーザ装備装置との接続の確立に割り振られる接続モードとアイドルモードとの２つの動作モードで選択的に動作し、前記ユーザ装備装置（ＵＥ）へのメッセージがアイドルモードにある該ユーザ装備装置においては第１の識別（ＩＭＳＩ、ＴＭＳＩ、ＰＴＭＳＩ）によって識別され、前記ユーザ装備装置へのメッセージが接続モードにある該ユーザ装備装置においては第２の識別によって識別されるユーザ装備装置（ＵＥ）において、該ユーザ装備装置（ＵＥ）が、
該ユーザ装備装置が接続モードにあるときに前記第１の識別（ＩＭＳＩ、ＴＭＳＩ、ＰＴＭＳＩ）によって該ユーザ装備装置が識別されるメッセージを処理する手段
からなることを特徴とする移動体無線通信システムのユーザ装備装置。
【請求項２】
ユーザ装備装置の前記第１の識別が、移動体加入者の国際的な識別（ＩＭＳＩ）または回線交換サービス用の移動体加入者の一時的な識別（ＴＭＳＩ）または移動体加入者のパケット単位の一時的な識別（ＰＴＭＳＩ）であることを特徴とする、請求項１に記載のユーザ装備装置。
【請求項３】
前記第２の識別が、ＵＴＲＡＮネットワークの一時的な識別であることを特徴とする、請求項１または２に記載のユーザ装備装置。
【請求項４】
ユーザ装備装置の前記第１の識別が、ＧＳＭ−ＭＡＰまたはＤＳ−４１などのどの型の公衆陸上移動ネットワークにも適用できる識別であることを特徴とする、請求項１に記載のユーザ装備装置。
【発明の詳細な説明】
【０００１】
【発明の属する技術分野】
本発明は、ＵＭＴＳ（Ｕｎｉｖｅｒｓａｌ  Ｍｏｂｉｌｅ  Ｔｅｌｅｐｈｏｎｅ  Ｓｙｓｔｅｍ）型移動体無線遠距離通信システムに関する。
【０００２】
【従来の技術】
ＵＭＴＳ型システムは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）型のネットワーク、ユーザ装備（ＵＥ）装置として一般的に知られる移動端末、および公衆交換電話ネットワークおよびインターネットに接続されたコア・ネットワークからなる。この種類のシステムについて図１で説明する。ＵＴＲＡＮネットワークは、インターフェースＩｕによってコア・ネットワークに接続された無線ネットワーク・サブシステムＲＮＳのセットからなる。各無線ネットワーク・サブシステムＲＮＳは、ノードＢとして知られる論理素子のセットをインターフェースＩｕｂによって制御する無線ネットワーク制御装置ＲＮＣからなる。無線ネットワーク制御装置ＲＮＣは、インターフェースＩｕｒによって互いに接続されている。各ノードＢは、ネットワークの１つまたは複数のセルとして機能する。最後に、各ユーザ装備装置ＵＥが、無線インターフェースＵｕを介して１つまたは複数のノードＢに接続される。
【０００３】
図１の例で、ＵＴＲＡＮネットワークは、３つの無線ネットワーク制御装置ＲＮＣ１、ＲＮＣ２およびＲＮＣ３を備え、これらの無線ネットワーク制御装置がそれぞれ、２つのノードＢを制御する。４つのユーザ装備装置ＵＥ１、ＵＥ２、ＵＥ３およびＵＥ４は、これらのノードＢに接続される。
【０００４】
ユーザ装備装置は、アイドル・モードと接続モードとの２つの動作モードを有する。アイドル・モードの間、システム・リソースは、ユーザ装備装置へのデータの伝送およびユーザ装備装置からのデータの伝送に特に割り振られない。ユーザ装備装置は、例えば電源が入った後はアイドル・モードになる。このモードで、各ユーザ装備装置は、ユーザ装備装置のＩＭＳＩ（移動体加入者の国際的な識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ））（ユーザ装備装置からＵＭＴＳシステムへの最初の接続の間にコア・ネットワークへ送信される）または回線交換サービス用ＴＭＳＩ（移動体加入者の一時的な識別（Ｔｅｍｐｏｒａｒｙ  Ｍｏｂｉｌｅ  Ｓｕｂｓｃｒｉｂｅｒ  Ｉｄｅｎｔｉｔｙ））、またはパケット交換サービス用ＰＴＭＳＩ（移動体的加入者のパケット単位の一時的な識別（Ｐａｃｋｅｔ  ＴｅｍｐｏｒａｒｙＭｏｂｉｌｅ  Ｓｕｂｓｃｒｉｂｅｒ  Ｉｄｅｎｔｉｔｙ））のいずれかであるコア・ネットワーク識別によって識別される。
【０００５】
ユーザ装備装置は、システムへの接続を求める要求があると、接続モードに入る。したがって、アイドル・モードのユーザ装備装置に情報が送信される必要があるときはすぐに、コア・ネットワークがＵＴＲＡＮネットワークを使用して、接続モードに入るように要求された当該ユーザ装備装置にページング・メッセージを送信する。
【０００６】
接続モードで、ユーザ装備装置は、移動状態として知られる４つの状態を有する。
−  セル専用チャネル用Ｃｅｌｌ＿ＤＣＨ
−  セル転送アクセス・チャネル用Ｃｅｌｌ＿ＦＡＣＨ
−  ＵＴＲＡＮ登録エリア・ページング・チャネル用ＵＲＡ＿ＰＣＨ
−  セル・ページング・チャネル用Ｃｅｌｌ＿ＰＣＨ
これらの４つの移動状態については、２０００年１２月に更新された無線アクセス・ネットワーク・グループ技術仕様書「３ＧＰＰ  ＴＳ  ２５．３３１  Ｖ３．５．０」第７章（３０ページから３２ページ）および付録Ｂ（６１５ページから６２２ページ）で詳しく説明している。
【０００７】
簡単に説明すると、接続モードの４つの移動状態で、システム・リソースがアップリンクおよび／またはダウンリンクのデータの送信に割り振られる。これらの無線リソースは、複数のユーザ装備装置間で共用されたり共用されなかったりする。
【０００８】
接続モードで、ユーザ装備装置は、ＳＲＮＣ（取り扱っている無線ネットワークコントローラ（Ｓｅｒｖｉｎｇ  Ｒａｄｉｏ  Ｎｅｔｗｏｒｋ  Ｃｏｎｔｒｏｌｌｅｒ））の１つによって割り振られるＵＲＮＴＩ（ＵＴＲＡＮ無線ネットワークの一時的な識別（ＵＴＲＡＮ  Ｒａｄｉｏ  Ｎｅｔｗｏｒｋ  Ｔｅｍｐｏｒａｒｙ  Ｉｄｅｎｔｉｔｙ））によって識別される。接続モードのユーザ装備装置のＳＲＮＣは、当該接続のコア・ネットワークにリンクされた無線ネットワーク制御装置に対応する。例えば図１で、ユーザ装備装置ＵＥ３が、まず無線ネットワーク制御装置ＲＮＣ２を介し、次に無線ネットワーク制御装置ＲＮＣ１を介してコア・ネットワークへデータを送信することを考える場合、後者が、ユーザ装備装置ＵＥ３に関連するＳＲＮＣである。
【０００９】
この無線ネットワーク制御装置とコア・ネットワークの間の接続Ｉｕの切断、およびＵＲＮＴＩなどユーザ装備装置に関するすべてのデータまたは一部のデータの損失を引き起こす無線ネットワーク制御装置の１つの障害があった場合、この無線ネットワーク制御装置をＳＲＮＣとして有するすべてのユーザ装備装置は、コア・ネットワークによってアイドル・モードであると認識される。障害が発生した無線ネットワーク制御装置が再び正常に動作を開始しても、それは、すべてのユーザ装備装置をアイドル・モードであると認識することに留意されたい。コア・ネットワークが、データを送信するためにこれらのユーザ装備装置との接続を確立することを試みる場合、無線ネットワーク制御装置は、コア・ネットワーク識別を使用して接続を確立することを試みる。ユーザ装備装置は接続モードであるので、接続するためのこれらの試みを認識しない。したがって、このようなユーザ装備装置はすべて、例えば更新操作によってその存在をネットワークに知らせるまでアクセスすることはできない。このようなユーザ装備装置のアクセス不能の期間は、非常に長くなり数時間続く可能性がある。
【００１０】
現在、この問題の唯一の解決法は、ＵＲＮＴＩの１つを有する接続モードのすべてのユーザ装備装置と接続し、ネットワークへその存在を知らせるようにユーザ装備装置に要求するために、すべての可能なＵＲＮＴＩをテストすることによって、ページング・メッセージを送信することである。この方法は、（ページング・チャネルＰＣＨの）システム・リソースおよび時間の点で非常に高コストなので、あまり満足できるものではない。実際、各無線ネットワーク制御装置に１００，０００台以上ものユーザ装備装置が接続されることがある。
【００１１】
【発明が解決しようとする課題】
したがって、本発明の一目的は、可能な限りまでユーザ装備装置のアクセス不能の期間を抑える方法を提供することである。
【００１２】
【課題を解決するための手段】
したがって、本発明の一目的は移動体無線遠距離通信システムであって、移動体無線遠距離通信システムのリソースがユーザ装備装置との接続の確立に割り振られる接続モードとアイドル・モードとの２つの動作モードで選択的に機能し、アイドル・モードで第１の識別によって識別され、接続モードで第２の識別によって識別される移動体無線遠距離通信システムにおいて、接続モードのユーザ装備装置が、それが第１の識別によって識別されるメッセージを処理することができることを特徴とする。
【００１３】
本発明のこのような特徴および利点は、添付の図を参照しながら以下の詳しい説明を読めばより明らかになろう。
【００１４】
【発明の実施の形態】
本発明によれば、接続モードのシステムの各ユーザ装備装置は、それがコア・ネットワーク識別によって識別されるメッセージを処理することができる。
図２は、無線によって無線ネットワーク制御装置ＲＮＣを備えた無線ネットワーク・サブシステムにリンクされた接続モードのユーザ装備装置ＵＥを示す。この無線ネットワーク・サブシステムは、システムのコア・ネットワークＣＮにリンクされている。コア・ネットワークで、ユーザ装備装置は、ＩＭＳＩまたは回線交換サービス用ＴＭＳＩ、またはパケット交換サービス用ＰＴＭＳＩのいずれかによって識別される。
【００１５】
別の実施形態として、ユーザ装備装置は、コア・ネットワークで、例えばＧＳＭ−ＭＡＰネットワークまたはＤＳ−４１ネットワークなど、どのタイプの公衆陸上移動ネットワークでも使用される識別によって識別される。
【００１６】
時間ｔ０で、携帯電話は、無線ネットワーク・サブシステムＲＮＳおよびコア・ネットワークＣＮによって接続モードであると認識される。
【００１７】
時間ｔ１で、障害が無線ネットワーク制御装置ＲＮＣで発生する。このＲＮＣは、時間ｔ２で操作に戻され再初期化される。次にユーザ装備装置ＵＥが、無線ネットワーク制御装置ＲＮＣおよびコア・ネットワークＣＮによって、実際には接続モードであるときにアイドル・モードであると識別される。
【００１８】
時間ｔ３で、コア・ネットワークＣＮは、ＵＴＲＡＮネットワークへページング・メッセージを送信し、データ送信操作を再初期化する。このメッセージで、ユーザ装備装置は、コア・ネットワーク識別の１つ、つまりＩＭＳＩ、ＴＭＳＩ、またはＰＴＭＳＩによって識別される。
【００１９】
ＵＴＲＡＮネットワークでは、携帯電話ＵＥはアイドル・モードである。したがって、ＵＴＲＡＮネットワークは時間ｔ４にページング・メッセージを、このページング・メッセージに含まれるコア・ネットワーク識別をＵＲＮＴＩに変換せずに、ユーザ装備装置に送信する。
【００２０】
本発明によれば、接続モードのユーザ装備装置ＵＥは、このメッセージでコア・ネットワーク識別を認識し、したがってこのメッセージを処理する。このメッセージに応じて、ユーザ装備装置ＵＥは、それが接続モードであることを知らせるために、例えば更新メッセージをＵＴＲＡＮネットワークに送信するであろう。
【００２１】
無線ネットワーク制御装置ＲＮＣに障害が発生する前に確立された携帯電話ＵＥとコア・ネットワークとの間の接続のすべてのパラメータまたは一部のパラメータが、この障害の間に失われた場合、ＵＴＲＡＮネットワークは、ユーザ装備装置ＵＥにアイドル・モードに戻ることを要求することができる。
【図面の簡単な説明】
【図１】ＵＭＴＳシステムの標準的な構造を示す図である。
【図２】本発明による、無線ネットワーク制御装置の障害後のユーザ装備装置の動作を示す図である。
【図１】
0004068357.tif 000002
【図２】
0004068357.tif 000003